(57)【特許請求の範囲】
【請求項１】
ユーザによる選択操作を受け付ける入力部と、
情報を表示する表示部と、
調剤薬の名称、服薬期間の日数、及び、使用上の注意文を記憶する記憶部と、
前記入力部を介して選択された調剤薬の名称、服薬期間の日数、及び、使用上の注意文を前記記憶部から読み出し、監査情報として表示するよう前記表示部を制御する制御部と、を備える調剤薬管理装置であって、
前記記憶部は、前記調剤薬の休薬期間の有無に関する情報をさらに記憶し、
前記制御部は、
前記調剤薬の休薬期間の有無に関する情報に基づいて、前記選択された調剤薬が休薬期間を有するか否かを判定し、
前記選択された調剤薬が前記休薬期間を有すると判定した場合、前記休薬期間の有無にかかわらず表示される通常選択メニューの他に、前記監査情報において前記休薬期間を有する旨を示すメニューを表示するよう前記表示部を制御し、さらに前記入力部を介して前記メニューが選択された場合のみ、前記選択された調剤薬の服薬計画を示す服薬計画表を表示するとともに、前記選択された調剤薬の前記使用上の注意文、及び、前記選択された調剤薬の前記服薬期間を前記服薬計画表に表示するよう前記表示部を制御し、
前記選択された調剤薬が前記休薬期間を有しないと判定した場合、前記通常選択メニューのみを表示するよう前記表示部を制御する、
調剤薬管理装置。
【請求項２】
前記使用上の注意文は、前記調剤薬の用法および用量を示す文字情報であり、前記服薬期間の日数及び前記休薬期間の日数を文字情報として含む、
請求項１に記載の調剤薬管理装置。
【請求項３】
前記休薬期間の有無に関する情報のデータサイズは１ビットである、
請求項１又は２に記載の調剤薬管理装置。
【請求項４】
前記記憶部は、前記調剤薬の休薬期間の日数を記憶し、
前記制御部は、前記選択された調剤薬が前記休薬期間を有すると判断した場合、前記選択された調剤薬の前記休薬期間の日数を含む前記服薬計画表を表示するよう前記表示部を制御する、
請求項１から３のいずれか一項に記載の調剤薬管理装置。
【請求項５】
前記制御部は、前記服薬計画表に、前記服薬期間の情報を追加して表示するよう前記表示部を制御する、
請求項１から４のいずれか一項に記載の調剤薬管理装置。
【請求項６】
前記制御部は、前記服薬計画表に、前記休薬期間の情報を追加して表示するよう前記表示部を制御する、
請求項１から５のいずれか一項に記載の調剤薬管理装置。
【請求項７】
入力部を介してユーザによる選択操作を受け付けるとともに、調剤薬の名称、服薬期間の日数、及び、使用上の注意文を記憶する記憶部から、ユーザにより選択された調剤薬の名称、服薬期間の日数、及び、使用上の注意文を読み出し、監査情報として表示するよう表示部を制御する装置が行う調剤薬管理方法であって、
前記記憶部にさらに記憶された調剤薬の休薬期間の有無に関する情報に基づいて、前記選択された調剤薬が休薬期間を有するか否かを判定する判定ステップと、
前記判定ステップにおいて、前記選択された調剤薬が前記休薬期間を有すると判定された場合、前記休薬期間の有無にかかわらず表示される通常選択メニューの他に、前記監査情報において前記休薬期間を有する旨を示すメニューを表示するよう前記表示部を制御し、さらに前記入力部を介して前記メニューが選択された場合のみ、前記選択された調剤薬の服薬計画を示す服薬計画表を表示するとともに、前記選択された調剤薬の前記使用上の注意文、及び、前記選択された調剤薬の前記服薬期間を前記服薬計画表に表示するよう前記表示部を制御し、前記選択された調剤薬が前記休薬期間を有しないと判定した場合、前記通常選択メニューのみを表示するよう前記表示部を制御する制御ステップと、
を含む調剤薬管理方法。
【請求項８】
入力部を介してユーザから選択操作を受け付けるとともに、調剤薬の名称、服薬期間の日数、及び、使用上の注意文を記憶する記憶部から、ユーザにより選択された調剤薬の名称、服薬期間の日数、及び、使用上の注意文を読み出し、監査情報として表示するよう表示部を制御するコンピュータに実行させる調剤薬管理プログラムであって、
前記コンピュータに、
前記記憶部にさらに記憶された調剤薬の休薬期間の有無に関する情報に基づいて、前記選択された調剤薬が休薬期間を有するか否かを判定する判定手順と、
前記判定手順において、前記選択された調剤薬が前記休薬期間を有すると判定された場合、前記休薬期間の有無にかかわらず表示される通常選択メニューの他に、前記監査情報において前記休薬期間を有する旨を示すメニューを表示するよう前記表示部を制御し、さらに前記入力部を介して前記メニューが選択された場合のみ、前記選択された調剤薬の服薬計画を示す服薬計画表を表示するとともに、前記選択された調剤薬の前記使用上の注意文、及び、前記選択された調剤薬の前記服薬期間を前記服薬計画表に表示するよう前記表示部を制御し、前記選択された調剤薬が前記休薬期間を有しないと判定した場合、前記通常選択メニューのみを表示するよう前記表示部を制御する制御手順と、
を実行させる調剤薬管理プログラム。
【発明の詳細な説明】
【技術分野】
【０００１】
本発明は、患者に処方される調剤薬を管理する調剤薬管理装置、調剤薬管理方法、および、調剤薬管理プログラムに関する。
【背景技術】
【０００２】
従来、医療機関や調剤薬局などにおいて、患者に処方される調剤薬をデータベースによって管理するシステムが広く利用されている。このようなデータベースを利用することにより、患者に過去に処方された調剤薬の処方歴等を容易に把握することができる。
【０００３】
例えば、特許文献１には、患者に過去に処方された調剤薬の処方日が分かるようにした薬歴カレンダーを用いて、使われずに残っている薬の状況を確認できるようにしたシステムが開示されている。
【先行技術文献】
【特許文献】
【０００４】
【特許文献１】特開２０１４−１０２７０７号公報
【発明の概要】
【発明が解決しようとする課題】
【０００５】
患者に処方される調剤薬の中には、服薬期間とともに、休薬期間が定められているものがある。休薬期間とは、その調剤薬を服用してはいけない期間を示す。休薬期間は、例えば、調剤薬を連続して服用することによる患者の体への負担を軽減するため、医師、薬剤師、または、製薬会社によって定められる。
【０００６】
しかしながら、上述した特許文献１に開示されているシステムでは、休薬期間については考慮されておらず、このシステムは、休薬期間を含む服薬計画を容易に生成できるようにするものではない。
【０００７】
本発明は、このような課題を解決するためになされたものであり、調剤薬に休薬期間が定められている場合に、休薬期間を含む服薬計画を容易に生成することができる調剤薬管理装置、調剤薬管理方法、および、調剤薬管理プログラムを提供することを目的とする。
【課題を解決するための手段】
【０００８】
本発明の調剤薬管理装置は、ユーザによる選択操作を受け付ける入力部と、情報を表示する表示部と、調剤薬の名称、服薬期間の日数、及び、使用上の注意文を記憶する記憶部と、前記入力部を介して選択された調剤薬の名称、服薬期間の日数、及び、使用上の注意文を前記記憶部から読み出し、監査情報として表示するよう前記表示部を制御する制御部と、を備える調剤薬管理装置であって、前記記憶部は、前記調剤薬の休薬期間の有無に関する情報をさらに記憶し、前記制御部は、前記調剤薬の休薬期間の有無に関する情報に基づいて、前記選択された調剤薬が休薬期間を有するか否かを判定し、前記選択された調剤薬が前記休薬期間を有すると判定した場合、前記休薬期間の有無にかかわらず表示される通常選択メニューの他に、前記監査情報において前記休薬期間を有する旨を示すメニューを表示するよう前記表示部を制御し、さらに前記入力部を介して前記メニューが選択された場合のみ、前記選択された調剤薬の服薬計画を示す服薬計画表を表示するとともに、前記選択された調剤薬の前記使用上の注意文、及び、前記選択された調剤薬の前記服薬期間を前記服薬計画表に表示するよう前記表示部を制御し、前記選択された調剤薬が前記休薬期間を有しないと判定した場合、前記通常選択メニューのみを表示するよう前記表示部を制御する。
【０００９】
本発明の調剤薬管理方法は、入力部を介してユーザによる選択操作を受け付けるとともに、調剤薬の名称、服薬期間の日数、及び、使用上の注意文を記憶する記憶部から、ユーザにより選択された調剤薬の名称、服薬期間の日数、及び、使用上の注意文を読み出し、監査情報として表示するよう表示部を制御する装置が行う調剤薬管理方法であって、前記記憶部にさらに記憶された調剤薬の休薬期間の有無に関する情報に基づいて、前記選択された調剤薬が休薬期間を有するか否かを判定する判定ステップと、前記判定ステップにおいて、前記選択された調剤薬が前記休薬期間を有すると判定された場合、前記休薬期間の有無にかかわらず表示される通常選択メニューの他に、前記監査情報において前記休薬期間を有する旨を示すメニューを表示するよう前記表示部を制御し、さらに前記入力部を介して前記メニューが選択された場合のみ、前記選択された調剤薬の服薬計画を示す服薬計画表を表示するとともに、前記選択された調剤薬の前記使用上の注意文、及び、前記選択された調剤薬の前記服薬期間を前記服薬計画表に表示するよう前記表示部を制御し、前記選択された調剤薬が前記休薬期間を有しないと判定した場合、前記通常選択メニューのみを表示するよう前記表示部を制御する制御ステップと、を含む。
【００１０】
本発明の調剤薬管理プログラムは、入力部を介してユーザから選択操作を受け付けるとともに、調剤薬の名称、服薬期間の日数、及び、使用上の注意文を記憶する記憶部から、ユーザにより選択された調剤薬の名称、服薬期間の日数、及び、使用上の注意文を読み出し、監査情報として表示するよう表示部を制御するコンピュータに実行させる調剤薬管理プログラムであって、前記コンピュータに、前記記憶部にさらに記憶された調剤薬の休薬期間の有無に関する情報に基づいて、前記選択された調剤薬が休薬期間を有するか否かを判定する判定手順と、前記判定手順において、前記選択された調剤薬が前記休薬期間を有すると判定された場合、前記休薬期間の有無にかかわらず表示される通常選択メニューの他に、前記監査情報において前記休薬期間を有する旨を示すメニューを表示するよう前記表示部を制御し、さらに前記入力部を介して前記メニューが選択された場合のみ、前記選択された調剤薬の服薬計画を示す服薬計画表を表示するとともに、前記選択された調剤薬の前記使用上の注意文、及び、前記選択された調剤薬の前記服薬期間を前記服薬計画表に表示するよう前記表示部を制御し、前記選択された調剤薬が前記休薬期間を有しないと判定した場合、前記通常選択メニューのみを表示するよう前記表示部を制御する制御手順と、を実行させる。
【発明の効果】
【００１１】
本発明によれば、調剤薬に休薬期間が定められている場合に、休薬期間を含む服薬計画を容易に生成することができる。
【図面の簡単な説明】
【００１２】
【図１】本発明の実施形態に係る調剤薬管理装置の一例を示す図
【図２】本発明の実施形態における患者情報管理テーブルの一例を示す図
【図３】本発明の実施形態における調剤薬情報管理テーブルの一例を示す図
【図４】本発明の実施形態における調剤薬管理処理の処理手順の一例を示す図
【図５】本発明の実施形態における患者一覧画面の一例を示す図
【図６】本発明の実施形態における服薬指導画面の一例を示す図
【図７】本発明の実施形態における監査情報画面の一例を示す図
【図８】本発明の実施形態におけるサブメニュー表示の一例を示す図
【図９】本発明の実施形態における服薬計画表の一例を示す図
【図１０】本発明の実施形態における服薬計画表の更新例を示す図
【図１１】本発明の実施形態の変形例における服薬計画表の表示例を示す図
【発明を実施するための形態】
【００１３】
以下、本発明の実施の形態について、図面を参照して詳細に説明する。なお、以下に説明する実施形態は一例であり、本発明はこれらの実施形態により限定されるものではない。
【００１４】
まず、本発明の実施形態に係る調剤薬管理装置について説明する。図１は、本発明の実施形態に係る調剤薬管理装置１の一例を示す図である。
【００１５】
調剤薬管理装置１は、入力部２、制御部３、表示部４、および、記憶部５を有する。
【００１６】
入力部２は、タッチパネル、キーボード、マウスなどの入力装置である。入力部２は、ユーザ（例えば、薬剤師など）からの指示操作、選択操作などを受け付け、受け付けた操作の内容を制御部３に出力する。例えば、入力部２は、ユーザが調剤薬の情報を確認するために行った調剤薬の選択操作を受け付け、その選択操作の内容を制御部３に出力する。
【００１７】
制御部３は、調剤薬管理装置１が行う各処理を制御するプロセッサなどの制御デバイスである。この制御部３は、入力部２が受け付けた調剤薬の選択操作に基づいて、選択された調剤薬の情報を記憶部５から読み出し、その情報を表示するように表示部４を制御する。
【００１８】
具体的には、制御部３は、入力部２を介して選択された調剤薬の名称、服薬期間の日数、及び、使用上の注意文を記憶部５から読み出し、それらの情報を監査情報として表示部４に表示させる。
【００１９】
また、制御部３は、調剤薬の休薬期間の有無に関する情報に基づいて、選択された調剤薬が休薬期間を有するか否かを判定し、選択された調剤薬が休薬期間を有すると判断した場合、選択された調剤薬の服薬計画を示す服薬計画表を表示するよう表示部４を制御し、また、選択された調剤薬の使用上の注意文、及び、選択された調剤薬の服薬期間を服薬計画表に表示するよう表示部４を制御する。
【００２０】
また、制御部３は、入力部２が受け付けたユーザからの指示操作等に基づいて、記憶部５に記憶された情報を更新する処理なども行う。
【００２１】
表示部４は、ディスプレイなどの表示装置である。表示部４は、制御部３の制御によって情報の表示を行う。表示部４が表示する情報の詳細については後述する。
【００２２】
記憶部５は、種々の情報を記憶するメモリやハードディスク装置などの記憶デバイスである。記憶部５は、患者の情報を含む患者情報管理テーブル６、調剤薬の情報を含む調剤薬情報管理テーブル７などを記憶する。患者情報管理テーブル６および調剤薬情報管理テーブル７は、必要に応じ、制御部３の制御によって更新される。
【００２３】
次に、記憶部５が記憶する患者情報管理テーブル６および調剤薬情報管理テーブル７について図２、３を用いて説明する。図２は、本発明の実施形態における患者情報管理テーブル６の一例を示す図である。図３は、本発明の実施形態における調剤薬情報管理テーブル７の一例を示す図である。
【００２４】
図２に示すように、患者情報管理テーブル６は、患者ＩＤ、患者氏名、性別、年齢、医療機関、通院歴、病名、処方薬、処方歴などの情報を含む。
【００２５】
患者ＩＤは、患者を特定する識別情報である。患者氏名、性別および年齢は、患者ＩＤに対応する患者の氏名、性別、年齢の情報である。医療機関および通院歴は、患者が過去に通院していた、または、現在通院している医療機関の名称およびその医療機関に通院した日付の情報である。病名は、患者がかかっている病気の名称の情報である。処方薬および処方歴は、患者がかかっている病気に対して処方される調剤薬の名称およびその調剤薬が処方された日付の情報である。
【００２６】
患者情報管理テーブル６に含まれる情報は、ユーザからの入力を受けて、制御部３が更新してもよいし、図示しない通信部を介して外部装置から情報を受信して、制御部３が更新してもよい。
【００２７】
一方、図３に示すように、調剤薬情報管理テーブル７は、薬剤ＩＤ、薬剤の名称、対象の疾患、服薬期間の日数、休薬期間の有無、休薬期間の日数、および、使用上の注意文などの情報を含む。
【００２８】
薬剤ＩＤは、薬剤を特定する識別情報である。薬剤の名称は、薬剤ＩＤに対応する薬剤の名称の情報である。対象の疾患は、薬剤が処方される対象となる疾患の情報である。服薬期間の日数は、薬剤を連続して服用してもよい日数の情報である。
【００２９】
休薬期間の有無は、薬剤を服用する際に、休薬期間があるか否かを示す情報である。なお、休薬期間の有無の情報は、１ビットで表わされる。図３に示す一例では、休薬期間がある場合に「１」が、休薬期間が無い場合に「０」が休薬期間の有無の情報として記憶される。
【００３０】
休薬期間の日数は、薬剤を服用する際に、服薬期間の間に設けるべき休薬期間の日数の情報である。
【００３１】
使用上の注意文は、薬剤を使用する上で注意すべき事項の情報を含む文字情報である。例えば、使用上の注意文は、薬剤の用法および用量、対象の疾患、服薬期間の日数、休薬期間の日数などの情報を含む。
【００３２】
なお、前述の通り、対象の疾患、服薬期間の日数、および、休薬期間の日数の情報は、使用上の注意文とはそれぞれ別の項目として調剤薬情報管理テーブル７に記憶されている。
【００３３】
なお、図３の薬剤ａの例で示すように、１つの薬剤が複数の疾患に対して処方される場合、服薬期間の日数、休薬期間の有無、および、休薬期間の日数の情報は、各疾患に対応付けてそれぞれ記憶される。
【００３４】
次に、本発明の実施形態における調剤薬管理処理の処理手順について、図４を用いて説明する。図４は、本発明の実施形態における調剤薬管理処理の処理手順の一例を示す図である。
【００３５】
まず、ユーザによる調剤薬管理アプリケーション（薬歴アプリケーションとも呼ばれる。）の起動操作を入力部２が受け付けた場合、調剤薬管理装置１の制御部３は、調剤薬管理アプリケーションを起動する（ステップＳ１）。
【００３６】
ここで、制御部３は、調剤薬管理アプリケーションを起動する際に、表示部４を制御して、表示部４に患者一覧の画面を表示させる。制御部３は、記憶部５が有する患者情報管理テーブル６から情報を読み出し、読み出した情報に基づいて、患者一覧の画面を表示部４に表示させる。
【００３７】
具体的な患者一覧の画面の一例について図５を用いて説明する。図５は、本発明の実施形態における患者一覧画面２０の一例を示す図である。図５に示すように、患者一覧画面２０は、患者ＩＤ欄２１、患者氏名欄２２、医療機関欄２３等が一覧できるように表示される。
【００３８】
図４の説明に戻ると、ステップＳ１の処理の後、入力部２は、対象患者の選択を受け付ける（ステップＳ２）。具体的には、入力部２は、図５に示す患者一覧画面２０の中から患者を選択する操作をユーザから受け付ける。
【００３９】
この選択操作は、例えば、入力部２がマウスの場合、ユーザが患者一覧画面２０上で対象患者の情報の表示領域をクリックすることによって実行される。以下では、対象患者として、患者Ａが選択されたものとして説明する。
【００４０】
ステップＳ２にて、入力部２が患者Ａの選択操作を受け付けると、制御部３は、表示部４を制御して、選択された患者Ａに関する情報の一覧を服薬指導画面として表示させる（ステップＳ３）。
【００４１】
具体的な服薬指導画面の一例について図６を用いて説明する。図６は、本発明の実施形態における服薬指導画面３０の一例を示す図である。図６に示すように、服薬指導画面３０には、患者個人情報欄３１、処方薬一覧領域３２、通院歴領域３３、処方歴領域３４、および、所見領域３５が設けられる。
【００４２】
患者個人情報欄３１には、患者Ａの氏名や性別、年齢などの個人情報が表示される。処方薬一覧領域３２には、患者Ａに処方された調剤薬が一覧形式で表示される。通院歴領域３３には、患者Ａが通院した病院と通院した日付が一覧形式で表示される。処方歴領域３４には、患者Ａに処方された調剤薬とその調剤薬の量が、処方された日付毎に表示される。所見領域３５には、医師または薬剤師による所見が表示される。
【００４３】
患者個人情報欄３１、処方薬一覧領域３２、通院歴領域３３、処方歴領域３４、および、所見領域３５に表示される情報は、制御部３により患者情報管理テーブル６および調剤薬情報管理テーブル７から読み出されて、表示部４により表示される。
【００４４】
図４の説明に戻ると、ステップＳ３の処理の後、入力部２は、ユーザから薬剤の選択操作を受け付ける（ステップＳ４）。具体的には、入力部２は、図６に示す服薬指導画面３０の処方薬一覧領域３２において行われた薬剤の選択操作をユーザから受け付ける。
【００４５】
この選択操作は、例えば、入力部２がマウスの場合、ユーザが服薬指導画面３０の処方薬一覧領域３２上で調剤薬の表示領域をクリックすることによって実行される。以下では、調剤薬として、薬剤ａが選択されたものとして説明する。
【００４６】
ステップＳ４にて、入力部２がユーザから薬剤の選択操作を受け付けると、制御部３は、表示部４を制御して、表示部４に監査情報画面をポップアップ表示させる（ステップＳ５）。
【００４７】
具体的な監査情報画面について、図７を用いて説明する。図７は、本発明の実施形態における監査情報画面４０の一例を示す図である。図７に示すように、監査情報画面４０には、複数の薬剤に関する情報が一覧形式で表示される。
【００４８】
ステップＳ４にて薬剤ａが選択されたので、監査情報画面４０が有する薬剤ａの情報領域４１には、薬剤ａの名称とともに、休薬期間の有無に関する情報（「休薬期間のある薬剤」）と使用上の注意文とが表示される。
【００４９】
一方で、ステップＳ４にて選択されていない薬剤（図７における薬剤ｂ〜ｄ）については、薬剤ｂの情報領域４２、薬剤ｃの情報領域４３、および、薬剤ｄの情報領域４４のように、薬剤の名称のみが示される。
【００５０】
図７に示す監査情報画面４０において、薬剤ｂが選択されると（例えば、マウス等の入力部２により薬剤ｂの情報領域４２がクリックされると）、薬剤ａの情報領域４１には、薬剤ａの名称のみが表示され、代わりに、薬剤ｂの情報領域４２に、薬剤ｂの名称とともに、休薬期間の有無に関する情報と使用上の注意文とが表示される。
【００５１】
また、図７に示す監査情報画面４０において、ユーザが初期段階で表示されていない薬剤（図７の例では、薬剤ｄより下方に表示される薬剤）を選択するためには、ユーザは、監査情報画面４０のスクロールバー４５を操作する。制御部３は、入力部２を介してユーザによりスクロール操作が行われたか否かを判定する（ステップＳ６）。
【００５２】
ステップＳ６にて、スクロール操作が行われていないと判定された場合（ステップＳ６においてＮｏ）、つぎに、後述するステップＳ８の処理が実行される。
【００５３】
ステップＳ６にて、ユーザによりスクロール操作が行われたと判定された場合（ステップＳ６においてＹｅｓ）、制御部３は、表示部４を制御して、監査情報画面４０に表示される薬剤の情報領域をスクロール操作に合わせて移動させる（ステップＳ７）。
【００５４】
そして、新たに表示された薬剤の情報領域において、例えば薬剤ｆ（図示せず）が選択されると、薬剤ｆの情報領域には、薬剤ｆの名称とともに、休薬期間の有無に関する情報と使用上の注意文とが表示される。
【００５５】
次に、入力部２は、監査情報画面４０において、右クリック操作による薬剤の選択操作をユーザから受け付ける（ステップＳ８）。以下では、薬剤ａが右クリック操作によって選択されたものとして説明する。続いて、制御部３は、選択された薬剤（ここでは、薬剤ａ。以下同じ。）の休薬期間の有無を判定する（ステップＳ９）。
【００５６】
具体的には、制御部３は、ステップＳ８にて選択された薬剤の休薬期間の有無に関する情報を調剤薬管理テーブル７から読み出す。そして、制御部３は、読み出した休薬期間の有無に関する情報に基づいて、選択された薬剤が休薬期間を有するか否かを判定する。
【００５７】
ステップＳ９にて、選択された薬剤が休薬期間を有さないと判定された場合（ステップＳ９においてＮｏ）、つぎに、後述するステップＳ１３の処理が実行される。
【００５８】
ステップＳ９にて、選択された薬剤が休薬期間を有すると判定された場合（ステップＳ９においてＹｅｓ）、制御部３は、監査情報画面４０上に休薬メニューを含むサブメニューをポップアップ表示させる（ステップＳ１０）。
【００５９】
具体的なサブメニュー表示について図８を用いて説明する。図８は、本発明の実施形態におけるサブメニュー表示の一例を示す図である。図８に示すように、監査情報画面４０において、薬剤ａが右クリック操作によって選択された場合、薬剤ａの情報領域４１上にサブメニュー４６が表示される。
【００６０】
サブメニュー４６には、休薬カレンダーメニュー４７が含まれる。この休薬カレンダーメニュー４７が、上述した休薬メニューに相当する。休薬カレンダーメニュー４７は、選択された薬剤が休薬期間を有する場合にのみサブメニュー４６に含まれる。
【００６１】
以下では、休薬カレンダーメニュー４７がユーザにより選択される場合について説明する。この場合、入力部２は、休薬メニュー（休薬カレンダーメニュー４７）の選択操作をユーザから受け付ける（ステップＳ１１）。
【００６２】
次に、制御部３は、表示部４を制御して、選択された薬剤の服薬計画を示す服薬計画表を表示部４に表示させる（ステップＳ１２）。
【００６３】
具体的には、制御部３は、ステップＳ２にて選択された対象患者に関する情報を患者情報管理テーブル６から読み出し、また、ステップＳ８にて選択された薬剤に関する情報を調剤薬管理テーブル７から読み出す。
【００６４】
そして、制御部３は、読み出した情報を用いて服薬計画表を生成し、生成した服薬計画表を表示部４に表示させ、この調剤薬管理処理を終了する。なお、服薬計画表の詳細については後述する。
【００６５】
ステップＳ９にて、選択された薬剤が休薬期間を有さないと判定された場合（ステップＳ９においてＮｏ）、制御部３は、休薬メニューを含まないサブメニューをポップアップ表示させる（ステップＳ１３）。
【００６６】
その後、制御部３は、休薬メニューを含まないサブメニューにおいてユーザにより選択されたメニューに対応する処理を実行し、この調剤薬管理処理を終了する。
【００６７】
ここで、具体的な服薬計画表の一例について図９および図１０を用いて説明する。図９は、本発明の実施形態における服薬計画表の一例を示す図である。図１０は、本発明の実施形態における服薬計画表の更新例を示す図である。
【００６８】
図９に示す服薬計画表５０は、選択された薬剤が休薬期間を有する場合にのみ表示される。服薬計画表５０には、選択された薬剤ａの使用上の注意文を表示する使用上の注意文領域５１と、薬剤ａの服薬期間を表示するカレンダー領域５２とを有する。
【００６９】
制御部３は、選択された薬剤に対する使用上の注意文の情報を薬剤管理テーブル７から読み出し、表示部４を制御して、その情報を使用上の注意文領域５１に表示させる。
【００７０】
また、カレンダー領域５２には、初期画面として服薬期間２クール分の服薬計画が表示される。図９に示す例では、２０１４年９月２日から２０１４年１０月１３日までの６週間分が服薬期間として表示される。
【００７１】
なお、薬剤ａは、複数の疾患に対して、それぞれ異なる服薬期間の日数、および、休薬期間の日数を有するが、図９に示す例では、表示が行われる日を服薬開始日として、薬剤ａの疾患Ｙに対する服薬期間の日数の２クール分が表示されるよう設定されているものとする。なお、ここでは２クール分を表示することとしたが、３クール分以上表示させることとしてもよい。
【００７２】
図１０は、服薬期間と次の服薬期間の間に休薬期間が表示された服薬計画表５０の一例を示す図である。休薬期間は、ユーザが手動で設定することができる。
【００７３】
具体的には、ユーザが、カレンダー領域５２上で、２クール目の服薬期間の開始日をマウス等の入力部２を操作して指定する。この場合、制御部３は、表示部４を制御して、図１０に示すように、指定された開始日（図１０の例では、２０１４年１０月８日）から始まる２クール目の服薬期間をカレンダー領域５２上に表示させる。
【００７４】
この場合、１クール目と２クール目の服薬期間の間に表示される期間が休薬期間となる。これにより、カレンダー領域５２に休薬期間を容易に表示させることができる。
【００７５】
また、薬剤に「休薬期間」が存在する場合に、このような服薬計画表５０が表示されるので、ユーザが休薬期間を決定するための入力を容易に行うことができ、休薬期間を含む服薬計画を容易に生成することができる。
【００７６】
また、図９、１０に示すように、服薬計画表５０に服薬期間の情報と休薬期間の情報とを含む使用上の注意文を表示させることによって、ユーザが薬剤の服薬計画を作成する際に休薬期間の日数を把握できるようになり、休薬期間を決定するための入力をさらに容易に行うことができる。
【００７７】
なお、ユーザが２クール目の服薬期間がどの期間かを指定する方法はこれに限定されず、他の方法であってもよい。例えば、ユーザが、２クール目の服薬期間の開始日を数値で入力してもよいし、休薬期間の最終日を数値で入力したり、マウス等の入力部２を操作して指定したりすることとしてもよい。後者の場合、制御部３は、休薬期間の最終日の次の日を２クール目の開始日として表示部４に服薬計画表５０を表示させる。
【００７８】
また、制御部３が、服薬期間と休薬期間の日数に基づいて自動的に休薬期間、および、２クール目の服薬期間を設定し、それらを表示部４に表示させてもよい。具体的には、制御部３は、１クール目の服薬期間の最終日に休薬期間の日数を加算して２クール目の服薬期間の開始日を算出する。
【００７９】
そして、制御部３は、表示が行われる日から服薬期間の日数分の期間を１クール目の服薬期間とし、１クール目の服薬期間の最終日の翌日から、算出された２クール目の服薬期間の開始日の前日までの期間を休薬期間とし、算出された２クール目の服薬期間の開始日から服薬期間の日数分の期間を２クール目の服薬期間として表示部４に服薬計画表５０を表示させる。
【００８０】
このように、図１０に示すような服薬計画表５０を表示することにより、ひとつのカレンダーにおいて、複数の服薬期間、及び、複数の服薬期間に挟まれる休薬期間をユーザが即座に把握できるようになる。
【００８１】
なお、上記実施形態では、休薬期間が一意に決められている場合の服薬計画表の表示例について説明したが、休薬期間に幅がある場合も考えられる（例えば、図３に示した薬剤ｃ）。この場合、その幅をユーザに視認しやすい形で表示することとしてもよい。以下では、休薬期間に幅がある場合の服薬計画表の表示方法の一例について説明する。
【００８２】
以下では、図２に示した疾患Ｚを有する患者Ｂに、休薬期間に幅がある薬剤ｃ（休薬期間８〜１５日。図３の薬剤ｃを参照。）を処方する場合を例にとって説明する。
【００８３】
図１１は、本発明の実施形態の変形例における服薬計画表６０の表示例を示す図である。図１１に示す服薬計画表６０でも、図１０に示した服薬計画表５０と同様に、制御部３は、薬剤ｃの使用上の注意文を含む使用上の注意文領域６１と、薬剤ｃの服薬期間の情報を含むカレンダー領域６２とを表示部４に表示させる。
【００８４】
また、制御部３は、上記実施形態で説明したのと同様の方法で、１クール目の服薬期間、休薬期間、２クール目の服薬期間を表示部４に表示させる。なお、休薬期間、および、２クール目の服薬期間を計算により決定する場合には、制御部３は、幅のある休薬期間（例えば、８〜１５日）のうち、所定の休薬期間（例えば、１５日）を用いて計算を行うこととすればよい。
【００８５】
また、制御部３は、休薬期間のうち２クール目の服薬期間を開始してもよい期間（図１１の２０１４年１０月１日から２０１４年１０月７日までの期間）を２クール目の服薬期間を開始してはいけない期間（図１１の２０１４年９月２３日から２０１４年９月３０日までの期間）と異なる態様で表示部４に表示させる。
【００８６】
これにより、休薬期間に幅があることをユーザが把握しやすくなり、ユーザが２クール目の服薬期間の調整を容易に調整することができる。
【００８７】
以上、本発明に係る実施形態について図面を参照して詳述してきたが、上述した調剤薬管理装置１の各機能は、コンピュータプログラムにより実現され得る。
【００８８】
具体的には、コンピュータが備えるＣＰＵ（Central Processing Unit）が、記憶装置に記憶されたプログラムをＲＡＭにコピーし、そのプログラムに含まれる命令をＲＡＭから順次読み出して実行することにより、上記各装置の機能が実現される。
【産業上の利用可能性】
【００８９】
本発明にかかる調剤薬管理装置、調剤薬管理方法、および、調剤薬管理プログラムは、服薬計画を患者に提示するのに好適である。
【符号の説明】
【００９０】
１  調剤薬管理装置
２  入力部
３  制御部
４  表示部
５  記憶部
６  患者情報管理テーブル
７  調剤薬情報管理テーブル
２０  患者一覧画面
２１  患者ＩＤ欄
２２  患者氏名欄
２３  医療機関欄
３０  服薬指導画面
３１  患者個人情報欄
３２  処方薬一覧領域
３３  通院歴領域
３４  処方歴領域
３５  所見領域
４０  監査情報画面
４１  薬剤ａの情報領域
４２  薬剤ｂの情報領域
４３  薬剤ｃの情報領域
４４  薬剤ｄの情報領域
４５  スクロールバー
４６  サブメニュー
４７  休薬カレンダーメニュー
５０、６０  服薬計画表
５１、６１  使用上の注意文領域
５２、６２  カレンダー領域
【図１】
0006491846.tif 000002
【図２】
0006491846.tif 000003
【図３】
0006491846.tif 000004
【図４】
0006491846.tif 000005
【図５】
0006491846.tif 000006
【図６】
0006491846.tif 000007
【図７】
0006491846.tif 000008
【図８】
0006491846.tif 000009
【図９】
0006491846.tif 000010
【図１０】
0006491846.tif 000011
【図１１】
0006491846.tif 000012